(57)【要約】【課題】  引き違い引戸に装着される薄型の引戸錠を、柱と重合する引戸の框に装着できるようにする。【解決手段】  閉鎖時柱と重合する引戸の内框５に内フレーム６を、閉鎖時この内フレーム５のフロント板８に対向する柱１の背面に外フレーム７を夫々埋設し、一端を内フレームに揺動可能に支承され、他端に鉤形部を形成したカマを、外フレームに装着されたストライク板１２に引掛けて引戸を施錠するようにしたものにおいて、シリンダ錠の内筒に連結される第１ピニオンを挟んでこれに背中合わせに結合され、シリンダ錠のテールピースと係合する異形孔を開口させたカプラーを設け、このカプラーに向け、シリンダ錠３１を柱１の側面から内方に向けて装着する。【選択図】  図２
2006063586.tif 000002
【特許請求の範囲】
【請求項１】
閉鎖時柱と重合する引戸の内框に内フレームを、閉鎖時この内フレームのフロント板に対向する柱の背面に外フレームを夫々埋設し、一端を内フレームに揺動可能に支承され、他端に鉤形部を形成したカマを、外フレームに装着されたストライク板に引掛けて引戸を施錠するようにしたものにおいて、上記カマと係合すると共に内框において上下方向に移動可能に案内され、その移動に連動してカマを施錠位置に振り出しあるいは解錠位置に復帰させる駆動板と、この駆動板に突設され、ストライク板と対向する内側フロント板の開口内に露呈された係合片と、上記駆動板に連結され、室内側から駆動板を操作する内側操作部材と、外フレーム内において、内フレームのフロント板及び水平面の双方に垂直な平面内で回動可能に支承された第１ピニオンと、この第１ピニオンと噛み合い係合をし、上下方向に移動可能に案内された第１ラックと、上記内側フロント板の開口と対向するストライク板の開口内に相互に重合する態様で配設され、基端を同軸かつ回動可能に支承されると共に、自由端を内フレームの係合片に係合可能に臨ませ、更に、自由端が拡開する方向に付勢された施錠及び解錠アームと、施錠アーム及び解錠アームの基端に形成された第２ピニオン及び第３ピニオンと、施錠アームの第２ピニオンと噛み合う第２ラック及び逃げ孔を上下方向に連設したもの、並びに解錠アームの第３ピニオンと噛み合う第３ラック及び逃げ孔を上下方向に連設したものをストライク板の幅方向に並設し、上記第１ラックに一体的に結合された作動板とを有し、上記第１ピニオンを挟んでこれに背中合わせに結合され、シリンダ錠のテールピースと係合する異形孔を開口させたカプラーを設け、このカプラーに向け、シリンダ錠を柱の側面から内方に向けて装着したことを特徴とする引戸錠。
【発明の詳細な説明】
【技術分野】
【０００１】
この発明は、室内側の内フレームに内蔵されたカマを、室外側の外フレームに内蔵されたシリンダ錠及び施解錠アームによって制御するようにした引戸錠に係り、特に、閉鎖時柱と重合する内框を有する引戸において、柱に装着された外フレームのシリンダ錠の鍵孔を柱の側面に開口させ、扉口の見栄えを良くすると共に、作動の確実性を向上させた引戸錠に関する。
【背景技術】
【０００２】
本出願人は、先に、後記特許文献１及び２を以て、引き違い引戸の内框に内フレームを、閉鎖時内框と重合する外框に外フレームを夫々装着し、内フレームに内蔵されたカマを、外フレームに内蔵されたシリンダ錠及び施解錠アームによって制御する引戸錠を提案し、これらは長年にわたって実用されている。
【０００３】
上記引戸錠は、引き違いとなる引戸に直接装着するように設計されているので、主にフレームの厚さ、すなわち、フレームの見込み方向の寸法を小さくし、シリンダ錠の合鍵の挿入方向も引戸の厚さ方向に設定されている。
【特許文献１】特公平０６−０２５５０４号公報
【特許文献２】特開平０９−１４４４０６号公報
【発明の開示】
【発明が解決しようとする課題】
【０００４】
しかして、近年、図１に示すような高級な引戸が使用され始めた。即ち、図１において符号１は柱を示し、一対の柱１、１の上部に梁２を組合わせる。
【０００５】
そして、柱１、１及び梁２によって構成された矩形の枠の奥に、左右に開き、閉鎖時戸先框が相互に突き当たる型式の引戸３、３が設けられる。
【０００６】
なお、図１において柱１、１に関し引戸３の反対側の部分には、例えば嵌め殺しの障子４、が装着される。
【０００７】
上記のような構成の引戸３に従来の引戸錠を適用しようとすると、これらの引戸３、３は中央において戸先框が突き当たる型式だから、その引戸錠の内フレームは、図１に示す閉鎖時柱１の陰になる内框に装着することは従来のものと同様で良い。
【０００８】
しかしながら、外フレームを柱１に装着すると、柱１、１の正面にかなり大きな外フレーム、或いはその座板を装着せねばならず、しかもシリンダ錠の鍵孔がその正面に開口するため、見栄えが悪くなり、デザイン上不利になる。
【０００９】
また、上記特許文献２に記載されている施解錠アームを引戸の内框に近接させて設ける一方、シリンダ錠は柱の太さ（或いは柱の見付け方向の寸法）分手前に設けなければならないので、両者の連結機構が必要になり、通常長い距離を連結する連結機構は構造が複雑で作動が不確実になる。
【００１０】
そこで、この発明は、外フレームを柱に埋設すると共に、シリンダ錠の鍵孔を柱の側面に開口させて扉口の見栄えを良くし、また、作動の確実性を向上させ得る引戸錠を提供することを目的としている。
【課題を解決するための手段】
【００１１】
上記の目的を達成するため、請求項１に記載の発明は、閉鎖時柱と重合する引戸の内框に内フレームを、閉鎖時この内フレームのフロント板に対向する柱の背面に外フレームを夫々埋設し、一端を内フレームに揺動可能に支承され、他端に鉤形部を形成したカマを、外フレームに装着されたストライク板に引掛けて引戸を施錠するようにしたものにおいて、上記カマと係合すると共に内框において上下方向に移動可能に案内され、その移動に連動してカマを施錠位置に振り出しあるいは解錠位置に復帰させる駆動板と、この駆動板に突設され、ストライク板と対向する内側フロント板の開口内に露呈された係合片と、上記駆動板に連結され、室内側から駆動板を操作する内側操作部材と、外フレーム内において、内フレームのフロント板及び水平面の双方に垂直な平面内で回動可能に支承された第１ピニオンと、この第１ピニオンと噛み合い係合をし、上下方向に移動可能に案内された第１ラックと、上記内側フロント板の開口と対向するストライク板の開口内に相互に重合する態様で配設され、基端を同軸かつ回動可能に支承されると共に、自由端を内フレームの係合片に係合可能に臨ませ、更に、自由端が拡開する方向に付勢された施錠及び解錠アームと、施錠アーム及び解錠アームの基端に形成された第２ピニオン及び第３ピニオンと、施錠アームの第２ピニオンと噛み合う第２ラック及び逃げ孔を上下方向に連設したもの、並びに解錠アームの第３ピニオンと噛み合う第３ラック及び逃げ孔を上下方向に連設したものをストライク板の幅方向に並設し、上記第１ラックに一体的に結合された作動板とを有し、上記第１ピニオンを挟んでこれに背中合わせに結合され、シリンダ錠のテールピースと係合する異形孔を開口させたカプラーを設け、このカプラーに向け、シリンダ錠を柱の側面から内方に向けて装着したことを特徴とする。
【発明の効果】
【００１２】
上記のように構成された請求項１に記載の発明によるクレセント錠は、合鍵を柱の側面に開口した鍵孔に差込んでこれを所定の方向に回動させることにより、引戸錠の施解錠操作ができることは従来のものと同様である。
【００１３】
この場合、シリンダ錠は柱の側面から内方に向かって埋設するように装着され、鍵孔は柱の正面に開口しないので、見栄えが良い。
【００１４】
また、通常柱の側面からカプラーまでの距離を大きく取ることができるので、従来の引戸錠と比較してシリンダ錠の内筒の長さを大きくすることができ、そのため引戸錠の鍵違いを大くすることができるばかりでなく、シリンダ錠そのものを操作力伝達部材として使用するので作動が円滑である。
【００１５】
更にまた、シリンダ錠のテールピースと係合するカプラーを第１ピニオンを挟んで背中合わせに設けたので、柱の何れの側面にもシリンダ錠を装着することができる、等等種々の効果を奏する。
【発明を実施するための最良の形態】
【００１６】
引戸錠を構成する内及び外フレームを夫々内框及び柱に埋設し、シリンダ錠の内筒の作動力を施解錠アームに伝達する第１ピニオンに、これを挟むようにして一対のカプラーを背中合わせに装着したので、柱の両側面の何れからでもシリンダ錠を第１ピニオンに連結することができ、そのためシリンダ錠の鍵孔を柱の側面に開口させることができた。
【実施例１】
【００１７】
以下、この発明の実施例を図面を参照して説明する。
図２において符号５は引戸の内框を、符号１は柱を夫々示し、この図２は図１の右の柱と閉鎖時これと重合する引戸３の部分に対応する。
【００１８】
上記内框５には内フレーム６が、閉鎖時この内フレームのフロント板８に対向する柱１の背面には外フレーム７が夫々埋設されている。
【００１９】
上記内フレーム６の構造は上記特許文献１に詳細に記載されているからここでは簡単に説明する。
【００２０】
すなわち、内フレーム６は、図３に示すように、カマ軸９により一端を内フレーム６に揺動可能に支承され、多端に鉤形部を形成したカマ１１を、外フレーム７に装着されたストライク板１２に引っ掛けて引戸を施錠するように構成されている。
【００２１】
そのため、内フレーム６内には駆動板１３が上下動可能に案内されており、図示の実施例では、駆動板１３を下降させることによりカマ１１をフロント板８から振り出させて引戸を施錠し、この状態から駆動板１３を上昇させることによりカマ１１を内フレーム６内に降り戻して解錠する。
【００２２】
また、上記駆動板１３には、図３及び図４に示すように、係合片１４が突接されており、この係合片１４はフロント板８の開口１５内に露呈している。
【００２３】
そして、この係合片１４を後述する施錠アームにより押し下げることによりカマ１１が振り出されて施錠され、解錠アームにより押し上げることにより引戸錠が解錠される。
【００２４】
なお、図３に示すように、上記駆動板１３には内側操作部材１６が一体的に結合されており、室内側からこの内側操作部材１６を手指により上下させることにより、室内側から引戸錠を施解錠できることは従来の引戸錠と同様である。
【００２５】
一方、図３に示すように、外フレーム７内には第１ピニオン１７が設けられている。この第１ピニオン１７は、フロント板８及び水平面の双方に垂直な平面、換言すれば柱１の側面に平行な平面内で回動可能に支承されている。
【００２６】
そして、この第１ピニオン１７は施解錠機構に連結されている。なお、この施解錠機構は前記特許文献２に詳細に記載されているから、ここでは簡単に説明する。
【００２７】
上記第１ピニオン１７は、図３に示すように、上下方向に延在して長さ方向、すなわち上下方向に移動可能に案内された第１ラック１８と噛み合い係合している。
【００２８】
また、図３において第１ピニオン１７の下方で、引戸閉鎖時内フレームの開口１５（図４参照）と整合するストライク板１２の部分には開口１９が形成されている。
【００２９】
そして、この開口内には、施錠アーム２１及び解錠アーム２２が相互に重合する態様で配設されている。
【００３０】
これら施錠及び解錠アーム２１、２２は、基端を同軸かつ回動可能に支承されると共に、自由端を前記内フレームの係合片１４に係合可能に臨ませ、更に、その基端の回動軸に巻装されたねじりコイルばねの弾力により、自由端が拡開する方向に付勢されている。
【００３１】
また、上記施錠アーム２１の基端には第２ピニオンが、解錠アーム２２の基端には第３ピニオン２４が夫々形成されている。
【００３２】
他方、前記第１ラック１８の下方には、例えば板材を断面Ｌ字形に折り曲げる態様で、作動板２５が一体的に結合されている。
【００３３】
この作動板２５の前面には、図６に示すように、施錠アームの第２ピニオン２３と噛み合う第２ラック２６及び逃げ孔２７を上下に連設したものと、解錠アーム２２の第３ピニオン２４と噛み合う第３ラック及び逃げ孔２７を上下方向に連設したものとが水平方向、すなわち、ストライク板の幅方向に並設されている。
【００３４】
上記した構成により、第１ラック１８を上昇させることにより、第３ピニオン２４は作動板の逃げ孔２７と係合するので解錠アーム２２は動かず、第２ピニオン２３が第２ラック２６と係合してこれに駆動され、その結果施錠アーム２１が図３で反時計方向に回動して係合片１４を押し下げ、引戸を施錠する。
【００３５】
同様にして、第１ラック１８を下降させると引戸は解錠されるが、第１ラック１８を再び上昇させると図３に示す待機位置に戻る。これは上記した施錠の場合も同様である。
【００３６】
また、上記第１ピニオン１７には、これを間に挟むようにして、シリンダ錠のテールピースと係合する異形孔を開口させたカプラー２９、２９（図３及び図６参照）が背中合わせに結合されている。
【００３７】
そして、図２及び図６に示すように、このカプラー２９に向け、シリンダ錠３１を柱１の側面から内方に向けて装着し、このようにしてシリンダ錠のテールピースがカプラー２９を介して第１ピニオン１７に連結される。
【００３８】
なお、図２及び図６において符号３２は飾りキャップを示し、この飾りキャップの深さ、形状を適切に設定することにより、任意の大きさのシリンダ錠をこの引戸錠に採用することができる。
【００３９】
上記のように構成されたこの発明の一実施例による引戸錠は、室外側からシリンダ錠の鍵孔に合鍵を挿入し、これを所定の方向に回動すれば、施錠アームあるいは解錠アーム２１、２２が選択的に回動し、引戸錠が施解錠される。
【００４０】
なお、図２及び図６から明らかなように、シリンダ錠は柱１の他の側面から装着することかできることは前記した通りである。
【図面の簡単な説明】
【００４１】
【図１】この発明が適用される引戸の一例を示す正面図。
【図２】その要部の一部断面平面図。
【図３】この発明の一実施例による引戸錠の一部断面側面図。
【図４】その内フレームの正面図。
【図５】作動板の正面図。
【図６】外フレームの一部断面背面図。
【符号の説明】
【００４２】
１  柱
３  引戸
４  障子
５  内框
６  内フレーム
７  外フレーム
８  フロント板
９  カマ軸
１１  カマ
１２  ストライク板
１３  駆動板
１４  係合片
１５  開口
１６  内側操作部材
１７  第１ピニオン
１８  第１ラック
１９  開口
２１  施錠アーム
２２  解錠アーム
２３  第２ピニオン
２４  第３ピニオン
２５  作動板
２６  第２ラック
２７  逃げ孔
２８  第３ラック
２９  カプラー
【図１】
2006063586.tif 000003
【図２】
2006063586.tif 000004
【図３】
2006063586.tif 000005
【図４】
2006063586.tif 000006
【図５】
2006063586.tif 000007
【図６】
2006063586.tif 000008